(57)【要約】【課題】化粧パネルの化粧蓋を確実に、また見栄え良くパネル本体に対して着脱させることができる空気調和機の室内機を提供すること。【解決手段】化粧パネル１００は、開口部１０２を閉塞するとともに、パネル本体１０１の面方向で、かつ、その対角線方向に沿ってスライド移動させることで着脱可能に構成された略矩形状の化粧蓋１６０とを有し、パネル本体１０１は化粧蓋１６０はパネル本体１０１の中央側に突出して形成された舌片部１６２を有し、パネル本体１０１は、舌片部１６２をとのネジ止めに供されるネジ固定部１０３を有し、パネル本体１０１及び化粧蓋１６０には、スライド移動により着脱される際に抵抗力を生じさせる突起部１６２ｂ及び引掛部１０３ｂが設けられている。【選択図】　　図１
2004085002.tif 000002
【特許請求の範囲】
【請求項１】
下面に開口部を有するとともに、内部に制御部、熱交換器及び送風機を収容し、被空調室の天井板開口部に嵌め込まれて天井裏に取付け固定される空気調和機本体と、
この空気調和機本体の下面開口部を閉成し、被空調室に露出するよう取付けられる矩形状の化粧パネルとを備え、
上記化粧パネルは、その中央部に開口される吸込口と、この吸込口の周辺部の四辺にそれぞれ設けられた吹出口と、四隅にそれぞれ設けられた略矩形状の開口部とを有するパネル本体と、
上記開口部を閉塞するとともに、上記パネル本体の面方向で、かつ、その対角線方向に沿ってスライド移動させることで着脱可能に構成された略矩形状の化粧蓋とを有し、
上記パネル本体は上記化粧蓋は上記パネル本体の中央側に突出して形成された舌片部を有し、
上記パネル本体は、上記舌片部をとのネジ止めに供されるネジ止め固定部を有し、
上記パネル本体及び上記化粧蓋には、スライド移動により着脱される際に抵抗力を生じさせる抵抗力発生部が設けられていることを特徴とする空気調和機の室内機。
【請求項２】
上記抵抗力発生部は、上記パネル本体のネジ止め固定部に設けられた係合部と、上記化粧蓋の舌片部に設けられた被係合部により構成されていることを特徴とする請求項１に記載の空気調和機の室内機。
【請求項３】
上記抵抗力発生部は、上記パネル本体の摺動部と、上記化粧蓋に設けられた被摺動部により構成されるとともに、上記摺動部と上記被摺動部とにより、上記パネル本体と上記化粧蓋との間に一定の間隙が形成されるように保持することを特徴とする請求項１に記載の空気調和機の室内機。
【請求項４】
上記抵抗力発生部は、上記パネル本体の開口部周縁部に設けられた係合部と、上記化粧蓋の周縁部に設けられた被係合部により構成されるとともに、上記係合部と上記被係合部は、上記化粧蓋のスライド移動の中途過程において係合するものであることを特徴とする請求項１に記載の空気調和機の室内機。
【請求項５】
上記化粧蓋には、上記パネル本体との距離を一定寸法以上に規制する突起部が設けられていることを特徴とする請求項１に記載の空気調和機の室内機。
【請求項６】
上記化粧蓋には、上記制御部と接続されるワイヤレス受信部が設けられている受信部付化粧蓋と取替可能であることを特徴とする請求項１に記載の空気調和機の室内機。
【発明の詳細な説明】
【０００１】
【発明の属する技術分野】
本発明は、天井取付型の空気調和機の室内機に関し、特に化粧パネルの化粧蓋の着脱機構の改良に関する。
【０００２】
【従来の技術】
空気調和機の室内機として、店舗などの広い空間を空調する場合には、壁面に取付けられる、いわゆる壁掛け形ではなく、複数の方甲に空調風を吹出すことができ、かつ居住者が受ける圧迫感の少ない天井埋込み型とした室内機が多用される傾向にある。
【０００３】
この種の空気調和機は、室内機本体の下面に取付けられ、熱交換空気を吹出し案内する吹出口と、室内空気を吸込み案内する吸込口を備えた化粧パネルが室内に露出している。上記吸込口は化粧パネルのほぼ中央部に開口し、吹出口は吸込口の両側もしくは周辺部に分散して開口する。
【０００４】
上記吸込口と対向する本体内に、室内空気に含まれる塵埃を濾過するフィルタが取付けられる。吸込口には室内空気の流通を許容し、かつ、吸込口から内部の遮蔽をなす吸込みグリルが嵌め込まれる。また、吹出口には、被空調室に吹き出される熱交換空気の向きを変更するルーバがそれぞれ設けられている。
【０００５】
一方、天井埋込型の空気調和装置の支持構造として、天井裏空間において吊下げボルトに螺着されたナットに室内機ケーシングが引っ掛けられ、このナットの吊下げボルトに対する螺着位置が調整されることにより室内機ケーシングが所定位置に吊下げ支持され、更に、この室内機ケーシングの下面に化粧パネルが取付けられたものが知られている。
【０００６】
ところが、このような構成では、化粧パネルを取付けた後に室内機ケーシングの吊下げ高さ位置を微調整しようとした場合、吊下げボルトの下側位置、つまり室内側に化粧パネルが位置しているので、この化粧パネルを取付けたままの状態ではナット操作が行えない。このため、化粧パネルにおける吊下げボルトの鉛直下方に位置する部分に開口を形成しておき、この開口から吊下げボルトに向ってソケットレンチ等の工具を挿入してナット操作を可能にし、化粧パネルを取外すことなしに空調機ケーシングの高さ位置を調整できるようにしている。
【０００７】
また、空調機設置状態での化粧パネルの見映えを良好に確保するために、この高さ位置調整を行った後には、化粧パネルの開口は化粧蓋によって覆われることになる。
【０００８】
【発明が解決しようとする課題】
上述した空気調和機の室内機の化粧蓋では次のような問題があった。すなわち、化粧蓋を爪のみで止めるような構造の場合には、支持強度が十分に得られず、軽い衝撃で化粧蓋が落下してしまう虞れがある。
【０００９】
また、この化粧蓋の支持強度を十分に得るために、化粧蓋を開口の縁部に対してその下側からネジ止めする方法が考えられるが、化粧蓋の着脱作業時にネジの取付け取外し作業を行わねばならず、作業性が悪いという問題がある。さらに、ネジ止め構造では、作業者がネジを外したと同時に化粧蓋がパネル本体から外れてしまう虞がある。
【００１０】
そこで本発明は、化粧パネルの化粧蓋を確実に、また見栄え良くパネル本体に対して着脱させることができる空気調和機の室内機を提供することを目的としている。
【００１１】
【課題を解決するための手段】
上記課題を解決し目的を達成するために、本発明の空気調和機の室内機は次のように構成されている。
【００１２】
（１）下面に開口部を有するとともに、内部に制御部、熱交換器及び送風機を収容し、被空調室の天井板開口部に嵌め込まれて天井裏に取付け固定される空気調和機本体と、この空気調和機本体の下面開口部を閉成し、被空調室に露出するよう取付けられる矩形状の化粧パネルとを備え、上記化粧パネルは、その中央部に開口される吸込口と、この吸込口の周辺部の四辺にそれぞれ設けられた吹出口と、四隅にそれぞれ設けられた略矩形状の開口部とを有するパネル本体と、上記開口部を閉塞するとともに、上記パネル本体の面方向で、かつ、その対角線方向に沿ってスライド移動させることで着脱可能に構成された略矩形状の化粧蓋とを有し、上記パネル本体は上記化粧蓋は上記パネル本体の中央側に突出して形成された舌片部を有し、上記パネル本体は、上記舌片部をとのネジ止めに供されるネジ止め固定部を有し、上記パネル本体及び上記化粧蓋には、スライド移動により着脱される際に抵抗力を生じさせる抵抗力発生部が設けられていることを特徴とする。
【００１３】
（２）上記（１）に記載された空気調和機の室内機であって、上記抵抗力発生部は、上記パネル本体のネジ止め固定部に設けられた係合部と、上記化粧蓋の舌片部に設けられた被係合部により構成されていることを特徴とする。
【００１４】
（３）上記（１）に記載された空気調和機の室内機であって、上記抵抗力発生部は、上記パネル本体の摺動部と、上記化粧蓋に設けられた被摺動部により構成されるとともに、上記摺動部と上記被摺動部とにより、上記パネル本体と上記化粧蓋との間に一定の間隙が形成されるように保持することを特徴とする。
【００１５】
（４）上記（１）に記載された空気調和機の室内機であって、上記抵抗力発生部は、上記パネル本体の開口部周縁部に設けられた係合部と、上記化粧蓋の周縁部に設けられた被係合部により構成されるとともに、上記係合部と上記被係合部は、上記化粧蓋のスライド移動の中途過程において係合するものであることを特徴とする。
【００１６】
（５）上記（１）に記載された空気調和機の室内機であって、上記化粧蓋には、上記パネル本体との距離を一定寸法以上に規制する突起部が設けられていることを特徴とする。
【００１７】
（６）上記（１）に記載された空気調和機の室内機であって、上記化粧蓋には、上記制御部と接続されるワイヤレス受信部が設けられている受信部付化粧蓋と取替可能であることを特徴とする。
【００１８】
【発明の実施の形態】
図１は本発明の一実施の形態に係る天井埋込型の空気調和機の室内機１０を下面側から示す斜視図、図２は同室内機１０における室内機本体２０と化粧パネル１００とを分離して示す斜視図、図３は室内機本体２０の分解斜視図、図４は室内機本体２０の縦断面図、図５は化粧蓋を図１中矢印Ｘ−Ｘ線で切断した斜視図、図６は化粧蓋を図１中矢印Ｙ−Ｙ線で切断した斜視図である、図７は化粧パネル１００の要部を示す図であって、化粧蓋１６０を取り付けた状態を示す平面図、図８は同要部を示す図であって、化粧蓋１６０を着脱する際の状態を示す平面図、図９は図８と同一部分を天井側から見た平面図である。
【００１９】
図１に示すように、空気調和機の室内機１０は、被空調室の天井板に設けられた取付け用開口部から室内側から挿入されて吊りボルト等を介して、いわゆる天井裏に吊持固定される室内機本体２０と、この室内機本体２０の室内側に露出して取り付けられる化粧パネル１００とを備えている。
【００２０】
図２に示すように、室内機本体２０は、下面開口部２１ａ全てが開口し、上面部と側面部が板面からなるハウジング２１を備えている。このハウジング２１の内周面には発泡スチロール等でできた断熱材からなるケーシング２２が収納され、断熱構造をなしている。
【００２１】
ハウジング２１内部には、その中央部に送風機２３が配置され、送風機２３を囲むようにして平面視でＬ字状に形成された一対の熱交換器部２４ａ，２４ｂからなる室内熱交換器２４が収容されている。なお、平面視で四角枠状に形成された室内熱交換器を用いる場合もある。
【００２２】
ハウジング２１の下面開口部２１ａは、化粧パネル１００によって閉成されている。この化粧パネル１００は室内に露出し、ハウジング２１周面と天井板の取付け用開口部との隙間を遮蔽する。
【００２３】
送風機２３は、図４に示すように、ハウジング２１の上面部に適宜な手段で取付け固定されるファンモータ２３ａと、このファンモータ２３ａの回転軸に取付けられるファン２３ｂとからなる。この送風機２３は、ファン２３ｂの回転に伴い回転軸方向から空気を吸込んで周方向に吹出す送風作用をなす。
【００２４】
室内熱交換器２４を構成する熱交換器部２４ａ，２４ｂは、送風機２３の吹出し方向に位置している。各熱交換器部２４ａ，２４ｂの下端部はハウジング２１下部に設けられる平面視で四角枠状のドレンパン２５内に挿入され、各熱交換器部２４ａ，２４ｂで生成されるドレン水を受けるようになっている。
【００２５】
化粧パネル１００の後述する吸込口１１０と送風機ファン２３ｂとの間には、ベルマウス２６が設けられ、その周囲はドレンパン２５に囲まれている。ベルマウス２６は、送風機ファン２３ｂ側が小径で、かつ、吸込口１１０側が大径のテーパ状に形成されている。さらに、電気部品箱２７が設けられている。電気部品箱２７内には制御回路が収容されている（図４参照）。
【００２６】
化粧パネル１００は、外形が矩形状のパネル本体１０１を備えており、その中央には矩形状の吸込口１１０が開口されており、この吸込口１１０はドレンパン２５の内側面とほぼ対向して設けられる。
【００２７】
パネル本体１０１の四隅部には、それぞれ矩形状の開口部１０２が設けられており、さらにこれら開口部１０２にはそれぞれ化粧蓋１６０が着脱自在に取り付けられている。
【００２８】
吸込口１１０には、吸込グリル１１１が着脱自在に取り付けられている。吸込グリル１１１は、吸込口１１０における室内空気の流通を可能としながら、吸込口１１０からハウジング２１内部に対する遮蔽をなしている。さらに、吸込口１１０の各辺部に沿って吹出口１２０〜１２３が設けられている。すなわち、吹出口１２０〜１２３は幅方向に対して長手方向が極端に細長い矩形状をなし、４ヶ所設けられることになる。
【００２９】
各吹出口１２０〜１２３は、ドレンパン２５の外側面とハウジング２１の側面部に取付けられる断熱材２２との間の間隙に対向位置していて、それ自体が外方へ曲成される。それぞれの吹出口１２０〜１２３にはルーバ機構１３０のルーバ１５０〜１５３がそれぞれ取付けられていて、化粧パネル１００周辺の広い範囲に吹出し案内するようになっている。
【００３０】
一方、ハウジング２１は、天井裏空間の梁から垂下された４本の吊下げボルトに吊下げ支持されている。つまり、ハウジング２１の側面のコーナ部には図２及び図３に示すように、水平方向外側に突出したフック部材２９が取付けられており、このフック部材２９の中央部に形成された長孔２９ａに吊下げボルト（不図示）を挿通し、この挿通部分の下側にナット（不図示）を螺着する。これにより、ナットの上面にフック部材２９が当接することになりハウジング２１が４箇所において吊下げボルトに吊下げ支持されている。また、ナットの吊下げボルトに対する螺着位置を調整することによってハウジング２１の吊下げ高さ位置の調整が行える。このフック部材２９の真下に開口部１０２と後述する化粧蓋１６０が位置している（図８参照）。
【００３１】
パネル本体１０１は、開口部１０２に対してそれぞれ設けられたネジ固定部１０３と、パネル本体１０１の四辺を結合するブリッジ部１０４と、開口部１０２の内周縁に沿って形成された内縁部１０５とを備えている。
【００３２】
ネジ固定部１０３には、ネジ孔１０３ａと、後述する突起部１６２ｂを引掛けるための引掛部１０３ｂとが設けられている。また、ブリッジ部１０４には、後述する被摺動部１６２ｃとの摺動に供される摺動部１０４ａが設けられている。さらに、内縁部１０５には突起部１０５ａが形成されている。
【００３３】
化粧蓋１６０は、矩形状の蓋本体１６１と、この蓋本体１６１の隅部に突設されネジ孔１６２ａを有する舌片部１６２と、天井側の面の外周縁に沿って形成された外縁部１６３とを備えている。舌片部１６２は、ネジ孔１６２ａと、先端側に設けられた突起部１６２ｂと、基端側に設けられた被摺動部１６２ｃとを備えている。外縁部１６３には、上述した突起部１０５ａと係合するリブ１６３ａと、隙間を一定に保持するためのリブ１６３ｂとが形成されている。
【００３４】
このように構成された天井埋込型の空気調和機の室内機１０においては、送風機２３が駆動されることにより、室内側から被空調空気が吸引され、熱交換器２４において熱交換がなされた後、吹出口１２０〜１２３から室内側に吹き出される。
【００３５】
次に、パネル本体１０１への化粧蓋１６０の着脱について説明する。室内機１０を天井に取り付ける際に、吊り下げ高さ位置の調整が必要となった場合には、化粧蓋１６０を取り外し、調節を行う。化粧蓋１６０を取り外すためには、最初に吸込グリル１１１を取り外す。吸込グリル１１１を取り外すことにより、固定ネジＴが露出するので、固定ネジＴを外す。そして、矢印Ｒ１方向にスライド移動させる。
【００３６】
このとき、化粧蓋１６０の突起部１６２ｂが引掛部１０３ｂに引っ掛かることでクイック感（操作力）が生じる。さらに矢印Ｒ１方向にスライド移動させる。とにより、化粧蓋１６０をパネル本体１０１から離脱させることが可能となる。さらに、このようにして化粧蓋１６０が外れた状態であっても、さらに矢印Ｒ方向にスライド移動させると、化粧蓋１６０のリブ１６３ａがパネル本体１０１の突起部１０５ａと係合するため、化粧蓋１６０が飛び出す虞がない。
【００３７】
このようにクイック感があるため、固定ネジＴを外した途端に化粧蓋１６０がパネル本体１０１から脱落する虞はない。次に、化粧蓋１６０をパネル本体１０１に取り付ける場合について説明する。化粧蓋１６０を位置合わせし、矢印Ｒ２方向に沿ってスライド移動させる。化粧蓋１６０の被摺動部１６２ｃがパネル本体１０１の摺動部１０４ａに摺動することで隙間が一定となる。
【００３８】
そして、リブ１６３ｂを設けたので、パネル本体１０１と化粧蓋１６０との隙間が一定に保持されることとなり、隙間が広がったり詰ったりする等の不具合が発生せず、見栄えがよい。最後に、ネジ固定部１０３と舌片部１６２とを位置合わせし、固定ネジＴを締めた後、吸込グリル１１１を嵌め込んで取付けを終了する。
【００３９】
上述したように本実施の形態に係る空気調和機の室内機１０によれば、ネジ固定部１０３に引掛部１０３ｂと舌片部１６２に突起部１６２ｂを設けたので、固定ネジＴを取り外しただけでは化粧蓋１６０が脱落することがない。また、さらに矢印Ｒ１方向にスライド移動させると、化粧蓋１６０のリブ１６３ａがパネル本体１０１の突起部１０５ａと係合するため、化粧蓋１６０が飛び出す虞がない。このように、化粧蓋１６０を取り外す際に、抵抗力が２段階で発生するため、作業者にはクイック感があり、安全に取り外しを行うことができる。
【００４０】
一方、化粧蓋１６０を取り付ける際には、パネル本体１０１に摺動部１０４ａ、化粧蓋１６０に被摺動部１６２ｃを設けたので、化粧蓋１６０を取り付けるためにスライド移動させた場合に抵抗力が発生し、ネジ止めをしない状態で化粧蓋１６０の位置決めを行うことができ、パネル本体１０１と化粧蓋１６０との隙間を所定距離に保つことが可能となる。
【００４１】
さらに、リブ１６３ｂが設けられているので、パネル本体１０１と化粧蓋１６０との隙間が一定に保持されることとなり、隙間が広がったり詰ったりする等の不具合が発生せず、見栄えがよい。
【００４２】
なお、化粧蓋１６０に電気部品箱２７に接続されるワイヤレス受信部１７０を設けることにより、リモートコントロール信号を受信することが可能となる。このとき、化粧蓋１６０は４つとも同一形状に形成されているため、電気部品箱２７の位置、空気調和機の利用者の位置によって適宜位置変更することが可能となる。
【００４３】
なお、本発明は実施の形態に限定されるものではなく、本発明の要旨を逸脱しない範囲で種々変形実施可能であるのは勿論である。
【００４４】
【発明の効果】
本発明によれば、化粧パネルの化粧蓋を確実に、また見栄え良くパネル本体に対して着脱させることが可能となる。
【図面の簡単な説明】
【図１】本発明の一実施の形態に係る天井埋込型の空気調和機の室内機を下面側から示す斜視図。
【図２】同室内機における室内機本体と化粧パネルとを分離して示す斜視図。
【図３】同室内機本体を示す分解斜視図。
【図４】同室内機本体を示す縦断面図。
【図５】同室内機の化粧パネルの要部を図１中矢印Ｘ−Ｘ線で切断した斜視図。
【図６】同化粧パネルの要部を図１中矢印Ｙ−Ｙ線で切断した斜視図。
【図７】同化粧パネルの要部を示す図であって、化粧蓋を取り付けた状態を示す平面図。
【図８】同化粧パネルの要部を示す図であって、化粧蓋を着脱する際の状態を示す平面図。
【図９】同化粧パネルの要部を示す図であって、化粧蓋を着脱する際の状態を天井側から示す平面図。
【符号の説明】
１００…化粧パネル
１０１…パネル本体
１０２…開口部
１０３…ネジ固定部
１０３ｂ…引掛部
１０４…ブリッジ部
１０４ａ…摺動部
１０５…内縁部
１０５ａ…突起部
１６０…化粧蓋
１６２…舌片部
１６２ｂ…突起部
１６２ｃ…被摺動部
１６３ａ…リブ
１７０…ワイヤレス受信部
【図１】
2004085002.tif 000003
【図２】
2004085002.tif 000004
【図３】
2004085002.tif 000005
【図４】
2004085002.tif 000006
【図５】
2004085002.tif 000007
【図６】
2004085002.tif 000008
【図７】
2004085002.tif 000009
【図８】
2004085002.tif 000010
【図９】
2004085002.tif 000011